(57)【特許請求の範囲】
【請求項１】
印刷媒体上に並べて印刷される複数のページそれぞれの印刷像を表したページデータを取得するページ取得部と、
印刷媒体上にページを並べる配置として所定の規約で予め定められている複数の規定配置それぞれを表す複数の配置データを記憶した、該規約では定められていない、該規定配置の後で追加される自由配置を表す配置データも記憶する配置記憶部と、
前記自由配置が指定され、該自由配置を表した配置データを作成して前記配置記憶部に記憶させる配置データ作成部と、
印刷媒体上に並べられるページの数が指定され、前記配置記憶部に記憶されている配置データのうち、その指定された数と同じ数のページを並べる配置を表した配置データを、前記規定配置を表しているか前記自由配置を表しているかに拘わらず検索する配置検索部と、
前記配置検索部による検索で見つかった配置データが表す各配置のうち印刷に用いられる配置の指定を受ける配置指定受付部と、
印刷媒体上に印刷される各ページの印刷像を、該印刷媒体上での該印刷像の配置も特定して表した印刷データが入力されて該印刷像を該印刷媒体上に該配置で印刷する印刷システム用の印刷データを、前記ページ取得部で取得されたページデータが表す印刷像と、前記配置指定受付部で指定された配置とに従って作成する印刷データ作成部とを備えた印刷管理サーバ；および
前記ページ取得部に向けてページデータを出力するページ出力部と、
前記自由配置を作成する作成操作を受け、該作成操作で作成された自由配置を前記配置データ作成部に対して指定する自由配置指定部と、
ページの数が操作で入力され、その数を前記配置検索部に指定するページ数指定部と、
前記配置検索部による検索で見つかった配置データが表す各配置を表示する配置表示部と、
前記配置表示部で表示された配置のうち印刷に用いられる配置を選択する選択操作を受け、該選択操作で選択された配置を前記配置指定受付部に対して指定する選択配置指定部とを備えたクライアント；
を備えたことを特徴とする印刷管理システム。
【請求項２】
前記自由配置指定部が、前記作成操作として、前記配置記憶部に記憶されている配置データが表す配置を改変する改変操作を受け、その改変操作による改変の内容を前記配置データ作成部に指定するものであり、
前記配置データ作成部が、前記自由配置指定部によって指定された内容の改変を適用して自由配置を確定し、その確定した自由配置を表した配置データを作成するものであることを特徴とする請求項１記載の印刷管理システム。
【請求項３】
前記配置表示部が、印刷媒体上におけるページの配置を図示するものであることを特徴とする請求項１又は２記載の印刷管理システム。
【請求項４】
前記規定配置が、前記規約によって、印刷媒体の折り方も定められたものであり、
前記配置表示部が、印刷媒体上におけるページの配置と該印刷媒体の折り方とを図示するものであることを特徴とする請求項１から３のうちいずれか１項記載の印刷管理システム。
【発明の詳細な説明】
【技術分野】
【０００１】
本発明は、印刷媒体上に印刷する印刷像の配置を管理する印刷管理装置、印刷管理システム、および印刷管理プログラムに関する。
【背景技術】
【０００２】
従来より、雑誌などの製本については、その雑誌の各ページを、複数ページ分の面積を有する大きな用紙の表裏に割り付ける所謂面付けを行い、それらのページの印刷像をその用紙上での配置も特定して表した印刷データを作成し、この印刷データに基づいて、Ｃ（シアン）、Ｍ（マゼンタ）、Ｙ（イエロ）、およびＫ（ブラック）それぞれの刷版を作成し、これら刷版を印刷製本機に取り付けて印刷し、その印刷した用紙をその面付けに応じた折り態様で折り畳み、端縁を裁断して雑誌に仕上げる手法がとられており、この面付けを簡易に行うための様々な提案がなされている（例えば、特許文献１参照）。
【０００３】
ところで、最近では、様々な面付けパターンのうちの幾種類かが標準規格化され、その標準規格に準拠した印刷製本システムによれば、標準規格の面付けパターンのうち所望するパターンの選択と、印刷像のシステムへの読み込みとを行うだけで、後は自動での製本が可能となっている。
【０００４】
また、このような印刷製本システムには、所定の条件、例えば、１枚の印刷用紙に対して割り付けるページ数を入力することで、システムに登録されている面付けパターンから条件に合う面付けパターンを検索する、絞り込み検索機能を有するものもある。
【特許文献１】特開２００７−２７２７８２号公報
【発明の開示】
【発明が解決しようとする課題】
【０００５】
しかしながら、この様な印刷製本システムでは、標準規格から外れた面付けパターンについては、ＣＩＰ４（印刷の国際標準化団体）で規定されたＪＤＦ（Ｊｏｂ  Ｄｅｆｉｎｉｔｉｏｎ  Ｆｏｒｍａｔ）やその印刷製本システム独自のフォーマットにしたがってＸＭＬやＰｏｓｔｓｃｒｉｐｔなどのページ記述言語で一から記述するかあるいは既存の標準規格外面付けパターンのページ記述を編集し直すなどしてシステム外で作成した上でシステムに登録する必要があり、煩わしいという問題がある。
【０００６】
また、この様な印刷製本システムでは、例えば、雑誌の総ページ数が３２ページであることで、１枚の印刷用紙の片面当たりの割り付けページ数を１６と入力して規格を絞り込んだ場合に、片面当たりのページ数を８ページ分ずつ２枚に割り付ける割付けパターンや、片面当たりのページ数を４ページ分ずつ４枚に割り付ける割付けパターンまでもが絞り込み結果に含まれており、煩わしいという問題がある。
【０００７】
本発明は、上記事情に鑑み、印刷媒体への印刷像配置の簡易化が図られた印刷管理装置、印刷管理システム、および印刷管理プログラムを提供することを目的とする。
【課題を解決するための手段】
【０００８】
上記目的を達成するための本発明の印刷管理装置は、
印刷媒体上に並べて印刷される複数のページそれぞれの印刷像を表したページデータを取得するページ取得部と、
印刷媒体上にページを並べる配置として所定の規約で予め定められている複数の規定配置それぞれを表す複数の配置データを記憶した、この規約では定められていない、この規定配置の後で追加される自由配置を表す配置データも記憶する配置記憶部と、
上記自由配置が指定され、この自由配置を表した配置データを作成して上記配置記憶部に記憶させる配置データ作成部と、
印刷媒体上に並べられるページの数が指定され、上記配置記憶部に記憶されている配置データのうち、その指定された数と同じ数のページを並べる配置を表した配置データを、上記規定配置を表しているか上記自由配置を表しているかに拘わらず検索する配置検索部と、
上記配置検索部による検索で見つかった配置データが表す各配置のうち印刷に用いられる配置の指定を受ける配置指定受付部と、
印刷媒体上に印刷される各ページの印刷像を、この印刷媒体上でのこの印刷像の配置も特定して表した印刷データが入力されてこの印刷像をこの印刷媒体上にこの配置で印刷する印刷システム用の印刷データを、上記ページ取得部で取得されたページデータが表す印刷像と、上記配置指定受付部で指定された配置とに従って作成する印刷データ作成部とを備えたことを特徴とする。
【０００９】
本発明の印刷管理装置では、自由配置を表す配置データを装置外で作成する手間が省けると共に、所望する配置を表す配置データの検索が的確に行われる。したがって、本発明の印刷管理装置によれば、印刷媒体への印刷像の配置を簡易に行うことができる。
【００１０】
ここで、上記配置データ作成部が、上記自由配置の指定として、上記配置記憶部に記憶されている配置データが表す配置に対する改変を指定され、この改変を適用して自由配置を確定し、その確定した自由配置を表した配置データを作成するものであることが好ましい。
【００１１】
この様に、自由配置の作成に当たり、配置記憶部に既に登録されている配置を利用できると、一から作成する場合に比べて手間が省ける。
【００１２】
上記目的を達成するための本発明の印刷管理システムは、
印刷媒体上に並べて印刷される複数のページそれぞれの印刷像を表したページデータを取得するページ取得部と、
印刷媒体上にページを並べる配置として所定の規約で予め定められている複数の規定配置それぞれを表す複数の配置データを記憶した、この規約では定められていない、この規定配置の後で追加される自由配置を表す配置データも記憶する配置記憶部と、
上記自由配置が指定され、この自由配置を表した配置データを作成して上記配置記憶部に記憶させる配置データ作成部と、
印刷媒体上に並べられるページの数が指定され、上記配置記憶部に記憶されている配置データのうち、その指定された数と同じ数のページを並べる配置を表した配置データを、上記規定配置を表しているか上記自由配置を表しているかに拘わらず検索する配置検索部と、
上記配置検索部による検索で見つかった配置データが表す各配置のうち印刷に用いられる配置の指定を受ける配置指定受付部と、
印刷媒体上に印刷される各ページの印刷像を、この印刷媒体上でのこの印刷像の配置も特定して表した印刷データが入力されてこの印刷像をこの印刷媒体上にこの配置で印刷する印刷システム用の印刷データを、上記ページ取得部で取得されたページデータが表す印刷像と、上記配置指定受付部で指定された配置とに従って作成する印刷データ作成部とを備えた印刷管理サーバ；および
上記ページ取得部に向けてページデータを出力するページ出力部と、
上記自由配置を作成する作成操作を受け、この作成操作で作成された自由配置を上記配置データ作成部に対して指定する自由配置指定部と、
ページの数が操作で入力され、その数を上記配置検索部に指定するページ数指定部と、
上記配置検索部による検索で見つかった配置データが表す各配置を表示する配置表示部と、
上記配置表示部で表示された配置のうち印刷に用いられる配置を選択する選択操作を受け、この選択操作で選択された配置を上記配置指定受付部に対して指定する選択配置指定部とを備えたクライアント；
を備えたことを特徴とする。
【００１３】
本発明の印刷管理システムによれば、印刷媒体への印刷像の配置が簡易な印刷管理システムを実現することができる。
【００１４】
ここで、上記自由配置指定部が、上記作成操作として、上記配置記憶部に記憶されている配置データが表す配置を改変する改変操作を受け、その改変操作による改変の内容を上記配置データ作成部に指定するものであり、
上記配置データ作成部が、上記自由配置指定部によって指定された内容の改変を適用して自由配置を確定し、その確定した自由配置を表した配置データを作成するものであることが好ましい。
【００１５】
また、上記配置表示部が、印刷媒体上におけるページの配置を図示するものであることが好ましい。
【００１６】
この様にすると、配置の選択を正確に行うことができる。
【００１７】
さらには、上記規定配置が、上記規約によって、印刷媒体の折り方も定められたものであり、
上記配置表示部が、印刷媒体上におけるページの配置とこの印刷媒体の折り方とを図示するものであることも好ましい態様である。
【００１８】
この様にすると、配置の選択をより一層正確に行うことができる。
【００１９】
上記目的を達成するための本発明の印刷管理プログラムは、
コンピュータ内で実行され、このコンピュータ上に、印刷媒体上に並べて印刷される複数のページそれぞれの印刷像を表したページデータを取得するページ取得部と、
印刷媒体上にページを並べる配置として所定の規約で予め定められている複数の規定配置それぞれを表す複数の配置データを記憶した、この規約では定められていない、この規定配置の後で追加される自由配置を表す配置データも記憶する配置記憶部に、この自由配置が指定されこの自由配置を表した配置データを作成して記憶させる配置データ作成部と、
印刷媒体上に並べられるページの数が指定され、上記配置記憶部に記憶されている配置データのうち、その指定された数と同じ数のページを並べる配置を表した配置データを、上記規定配置を表しているか上記自由配置を表しているかに拘わらず検索する配置検索部と、
上記配置検索部による検索で見つかった配置データが表す各配置のうち印刷に用いられる配置の指定を受ける配置指定受付部と、
印刷媒体上に印刷される各ページの印刷像を、この印刷媒体上でのこの印刷像の配置も特定して表した印刷データが入力されてこの印刷像をこの印刷媒体上にこの配置で印刷する印刷システム用の印刷データを、上記ページ取得部で取得されたページデータが表す印刷像と、上記配置指定受付部で指定された配置とに従って作成する印刷データ作成部とを構築することを特徴とする。
【００２０】
本発明の印刷管理プログラムによれば、印刷媒体への印刷像の配置の簡易化に寄与することができる。
【００２１】
なお、本発明にいう印刷管理プログラムについては、ここではその基本形態のみを示すにとどめるが、これは単に重複を避けるためであり、本発明にいう印刷管理プログラムには、上記の基本形態のみでなく、前述した印刷管理装置の各形態に対応する各種の形態が含まれる。
【００２２】
さらに、本発明の印刷管理プログラムがコンピュータ上に構築する配置データ作成部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されていてもよく、あるいは、コンピュータに組み込まれている他のプログラムやプログラム部品に指示を与えて実行するものとして構築されていてもよい。
【発明の効果】
【００２３】
本発明によれば、印刷媒体への印刷像の配置の簡易化が図られた印刷管理装置、印刷管理システム、および印刷管理プログラムを提供することができる。
【発明を実施するための最良の形態】
【００２４】
以下、本発明の実施形態について説明する。
【００２５】
図１は、印刷管理システムを示す図である。
【００２６】
この印刷管理システム１０は、サーバ・アンド・クライアントシステムで構成されており、図１には、サーバ装置１００を構成するコンピュータと、クライアント装置２００を構成するコンピュータとが示されている。
【００２７】
クライアント装置２００では、ユーザによって、面付けパターンの新規作成や面付けパターンの選択などが行われる。
【００２８】
本実施形態における面付けパターンとは、所定の印刷用紙上に複数のページを並べる配置のみならず、各ページの印刷像がそれぞれの配置で印刷された印刷用紙を折り畳む折り態様と、折り畳まれた状態の印刷用紙に対する裁断態様までをも定めたものである。さらには、この印刷管理システム１０は、印刷業界の統一規格として定められている標準規格の面付けパターンと、標準外であるローカル規格の面付けパターンとを有している。
【００２９】
また、図１には、印刷に用いられる印刷像を読み取るためのカラースキャナ４００、および、面付けに応じた印刷および製本を行う印刷製本機５００が、ローカルエリアネットワーク６００を介して、この印刷管理システム１０に繋げられている様子が示されている。
【００３０】
この印刷管理システム１０が、本発明の印刷管理システムの一実施形態であり、サーバ装置１００は、本発明の印刷管理装置の一実施形態であると共に、本発明にいう印刷管理サーバの一例に相当し、クライアント装置２００は、本発明にいうクライアントの一例に相当する。
【００３１】
図１に示す印刷管理システム１０の動作は、サーバ装置１００およびクライアント装置２００を構成するコンピュータにおける動作であるので、まず、これらのコンピュータについて説明する。尚、サーバ装置１００を構成するコンピュータおよびクライアント装置２００を構成するコンピュータは、それらの動作内容は異なるが、ハードウェア上の構成はほぼ同じであるため、以下、これらのコンピュータを代表して、サーバ装置１００を構成するコンピュータについて説明する。
【００３２】
サーバ装置１００を構成するコンピュータは、外観構成上、本体装置１１０、その本体装置１１０からの指示に応じて表示画面１２１上に印刷像を表示する印刷像表示装置１２０、本体装置１１０にキー操作に応じた各種の情報を入力するキーボード１３０、および、表示画面１２１上の任意の位置を指定することにより、その位置に表示された、例えばアイコン等に応じた指示を入力するマウス１４０を備えている。この本体装置１１０は、外観上、フレキシブルディスク（以下、ＦＤと省略する）を装填するためのＦＤ装填口１１１、および、ＣＤ−ＲＯＭに代表されるＣＤ型媒体を装填するためのＣＤ装填口１１２を有する。
【００３３】
図２は、図１に示すコンピュータのハードウェア構成図である。
【００３４】
本体装置１１０の内部には、図２に示すように、各種プログラムを実行するＣＰＵ１１３、各種プログラムやデータ等が保存されたハードディスク装置１１５、ハードディスク装置１１５に格納されたプログラムが読み出されＣＰＵ１１３での実行のために展開される主メモリ１１４、ＦＤ３００をアクセスするＦＤドライブ１１６、ＣＤ−ＲＯＭ３１０に代表されるＣＤ型媒体が装填され、その装填されたＣＤ−ＲＯＭ３１０などをアクセスするＣＤドライブ１１７、外部装置からのデータ入力のための入力インタフェース１１８、外部装置へのデータ出力のための出力インタフェース１１９が内蔵されている。
【００３５】
ＣＤ−ＲＯＭ３１０には、コンピュータを、本発明にいう印刷管理サーバの一例として動作させるサーバ用プログラムが記憶されている。そのＣＤ−ＲＯＭ３１０はＣＤ−ＲＯＭドライブ１１７に装填され、そのＣＤ−ＲＯＭ３１０に記憶されたサーバ用プログラムがこのコンピュータにアップロードされてハードディスク装置１１５に記憶される。そして、このサーバ用プログラムが起動されて実行されることにより、コンピュータは、本発明にいう印刷管理サーバの一例として動作する。
【００３６】
なお、クライアント装置２００を構成するコンピュータには、サーバ用プログラムが記憶されたＣＤ−ＲＯＭ３１０の替わりに、クライアント用プログラムが記憶されたＣＤ−ＲＯＭ３２０が装填される。このＣＤ−ＲＯＭ３２０に記憶されたクライアント用プログラムが実行されることによって、コンピュータは、本発明にいうクライアントの一例として動作する。
【００３７】
次に、サーバ用プログラムとクライアント用プログラムについて説明する。
【００３８】
図３および図４は、サーバ用プログラムが記憶されたＣＤ−ＲＯＭ、およびクライアント用プログラムが記憶されたＣＤ−ＲＯＭをそれぞれ示す概念図である。
【００３９】
図３に示すように、ＣＤ−ＲＯＭ３１０に記憶されたサーバ用プログラム４１０は、印刷像取得部４１１、面付けパターンデータ作成部４１２、面付けパターン検索部４１３、面付けパターン指定受付部４１４、および印刷データ作成部４１５を有している。このサーバ用プログラム４１０は、本発明の印刷管理プログラムの一実施形態である。
【００４０】
また、図４に示すように、ＣＤ−ＲＯＭ３２０に記憶されたクライアント用プログラム４２０は、印刷像出力部４２１、面付けパターン指定部４２２、面付けパターン条件入力部４２３、面付けパターン表示部４２４、および面付けパターン選択部４２５を有している。
【００４１】
サーバ用プログラム４１０およびクライアント用プログラム４２０の各部の詳細については、後で、サーバ装置１００およびクライアント装置２００の各部の作用と一緒に説明する。
【００４２】
図５は、図１に示す印刷管理システムの機能ブロック図である。
【００４３】
図５に示す機能ブロック図は、図３に示すサーバ用プログラム４１０が図１のサーバ装置１００を構成するコンピュータにインストールされ、図４に示すクライアント用プログラム４２０が図１のクライアント装置２００を構成するコンピュータにインストールされて、サーバ・アンド・クライアントシステムが、本発明の印刷管理システムの一実施形態として動作するときの機能を表したものである。
【００４４】
サーバ装置１００は、面付けパターン記憶部１０６、面付けパターン検索部１０３、面付けパターンデータ作成部１０２、面付けパターン指定受付部１０４、印刷製本データ作成部１０５、および印刷像取得部１０１で構成されており、ハードウェアとしては、面付けパターン記憶部１０６は、図２に示すハードディスク装置１１５によって主に担われており、一方、面付けパターンデータ作成部１０２、面付けパターン検索部１０３、面付けパターン指定受付部１０４、印刷像取得部１０１、および印刷製本データ作成部１０５は、ハードウェアとしては図２に示すＣＰＵ１１３によって主に担われている。
【００４５】
クライアント装置２００は、面付けパターン条件入力部２０３、面付けパターン表示部２０４、面付けパターン指定部２０２、面付けパターン選択部２０５、および印刷像出力部２０１で構成されており、ハードウェアとしては、面付けパターン指定部２０２および印刷像出力部２０１は、クライアント装置２００を構成するＣＰＵ１１３によって主に担われており、面付けパターン表示部２０４は、図２に示す印刷像表示装置１２０によって主に担われ、面付けパターン条件入力部２０３、面付けパターン選択部２０５は、キーボード１３０やマウス１４０によって主に担われている。ここで、面付けパターン条件入力部２０３、面付けパターン指定部２０２、および面付けパターン選択部２０５は、それぞれ、本発明にいうページ数指定部、自由配置指定部、および選択配置指定部の各一例に相当する。
【００４６】
以下、図５に示す印刷管理システム１０の各要素の機能について、図６に示す、この印刷管理システム１０における動作の流れと共に説明する。また、以下では、図５に示す各要素については、特に図番を断らずに図５中の符号を付して引用すると共に、適宜、図７、８、９についても説明する。
【００４７】
この印刷管理システム１０では、サーバ装置１００の面付けパターン記憶部１０６に、印刷業界における標準規格として予め定められている標準規格の面付けパターンと、この印刷管理システム１０でユーザにより独自に作成されたローカル規格の面付けパターンとが記憶されている。
【００４８】
この印刷管理システム１０では、このローカル規格の面付けパターンの作成を、面付けパターン記憶部１０６に既に記憶されている面付けパターンの中からベースとして選択した面付けパターンに修正を加えるか、あるいは、印刷製本機５００による読み取りが可能な面付けパターンを一から作成するかのいずれかにより行えるようになっている。例えば、既に記憶されている面付けパターンに修正を加えて新たなローカル規格の面付けパターンを作成する場合には、ベースとなる面付けパターン候補を絞るためにページ数などの条件を、面付けパターン条件入力部２０３を通じてユーザが入力し、その入力条件に応じて面付けパターン検索部１０３により検索された、条件に該当する面付けパターンを面付けパターン表示部２０４に表示させる。面付けパターン表示部２０４に表示される、条件に該当する面付けパターンは、図示は省略するが、ページの順序（番号）、ページ相互の相対サイズ、ページの向き、およびページ間の距離等が表されたものであり、ユーザは、面付けパターン指定部２０２により、ページの順序、ページ相互の相対サイズ、ページの向き、およびページ間の距離等について改変を行い、これにより作成された新たな面付けパターンは、ローカル規格の面付けパターンとして、面付けパターンデータ作成部１０２により面付けパターン記憶部１０６に登録される。
【００４９】
図６は、この印刷管理システムにおける動作の流れを示す図である。
【００５０】
図６の左側には、この印刷管理システム１０が、標準規格面付けパターンの他に、上述したようにして作成したローカル規格の面付けパターンを、面付けパターン群の一部として有している様子が示されている。図６に示される面付けパターンを表す数字は、その面付けパターンが、印刷製本機５００で使用する所定の印刷用紙をＸ軸（水平方向）とＹ軸（垂直方向）とからなる平面とした場合の、片面当たりの、水平方向に配置されるページ数と垂直方向に配置されるページ数とを示しており、例えば‘３×２’は、その面付けパターンにおける片面当たりの水平方向に配置されるページ数が‘３’で、垂直方向に配置されるページ数が‘２’であることを意味している。また、面付けパターンに付されている‘Ｍ’は、その面付けパターンがローカル規格であることを表している。
【００５１】
図６の中央には、ユーザが、面付けパターン条件入力部２０３を通じて、印刷製本を行うための面付けパターンの条件として、片面当たりの水平方向に配置されるページ数を‘３’、垂直方向に配置されるページ数を‘１’と入力したことで、面付けパターン記憶部１０６に登録されている面付けパターンの中から面付けパターン検索部１０３が絞り込んだ‘３×１’および‘３×１−Ｍ’が面付けパターン表示部２０４に表示された様子が示されている。つまり、この印刷管理システム１０では、印刷用紙上に並べられるページ数が指定されると、面付けパターン記憶部１０６に登録済みの既存の面付けパターンのうち、その指定された数と同じ数のページを並べる配置を表した面付けパターンのみの絞り込みが行われる。
【００５２】
図７は、面付けパターンを選択する際の様子を示す図である。
【００５３】
図７には、図１等に示す印刷像表示装置１２０の表示画面１２１が示されており、この表示画面上には、面付けパターンを選択する際に使用される面付けパターン選択用画像１２１０が表示されている。この面付けパターン選択用画像１２１０の上端には、ユーザが所望する面付けパターンを多くの面付けパターンの中から絞り込む際に条件が入力されるエリアとして、水平ページ数エリア１２１１、垂直ページ数エリア１２１２、および、方向エリア１２１３が設けられている。水平ページ数エリア１２１１では、印刷製本機５００で使用される所定の印刷用紙の片面当たりの水平方向に配置されるページ数の入力が可能となっており、垂直ページ数エリア１２１２では、垂直方向に配置されるページ数の入力が可能となっている。さらに、図６では省略しているが、この印刷管理システム１０では、方向エリア１２１３に、例えば、印刷用紙上に水平ページ数が‘２’で垂直ページ数が‘２’のページの面付けを行う場合に、垂直方向１ページ目の水平方向に２枚配置されるページの印刷像と垂直方向２ページ目の水平方向に２枚配置されるページの印刷像とを、印刷像の上縁同士を突き合わせた状態にする‘天合わせ’と印刷像の下縁同士を突き合わせた状態にする‘地合わせ’とのいずれかを入力することで、上述の‘ページの向き’についても指定されている面付けパターンの選択ができるようになっている。
【００５４】
一方、この面付けパターン選択用画像１２１０の下端には、入力条件を面付けパターン検索部１０３に認識させる際にユーザによって操作されるアイコン‘ＯＫ’と、この面付けパターン選択用画像１２１０を終了する際に操作されるアイコン‘終了’とが示されている。
【００５５】
また、このパターン選択用画像１２１０の中央部分には、入力条件により絞られた面付けパターンのパターン名および態様を表示するための表示エリア１２１５が設けられている。尚、水平ページ数エリア１２１１の下方に示される‘表面’、‘裏面’、および‘両面’については後述する。
【００５６】
図８は、ユーザが入力した検索条件に該当する面付けパターンが表示されている様子を示す図である。
【００５７】
図８には、検索条件として、水平ページ数‘３’および垂直ページ数‘１’を入力してアイコン‘ＯＫ’を操作した場合に表示画面１２１に表示された面付けパターン選択用画像１２１０が示されており、面付けパターン選択用画像１２１０の表示エリア１２１５には、面付けパターン検索部１０３によって絞り込まれた面付けパターンが表示されている。尚、図８には方向エリア１２１３に‘天合わせ’が入力されているが、垂直ページ数が‘1’の場合には、この方向エリア１２１３への入力には意味がなく、ここでは、デフォルトが表示されているに過ぎない。
【００５８】
表示エリア１２１５には、標準規格のパターン名である‘Ｆ６−１’、‘Ｆ６−２’、‘Ｆ６−３’、‘Ｆ６−４’、‘Ｆ６−５’と、ローカル規格のパターン名である‘Ｍ１’とが示されていると共に、パターン名それぞれに対応した態様が示されている。例えば、‘Ｆ６−１’については、表裏面それぞれに３つずつの計６ページのページの配置がなされ、そのうちの表面には、左から‘２’、‘３’、‘６’の各ページが配置される様子が示されている。ページの配置態様がこの様に表示されるのは、水平ページ数エリア１２１１の下方に示される‘表面’、‘裏面’、および‘両面’のうちの‘表面’が今回の検索条件の入力の際に選択されていたためであり、仮に‘裏面’が選択されていたとすると、Ｆ６−１については、左から‘１’、‘４’、‘５’の各ページが配置される態様が表示されることとなり、‘両面’が選択されれば、表裏面への割付け態様が同時に表示される。また、標準規格の面付けパターン‘Ｆ６−１’から‘Ｆ６−５’に対応する態様には、折り位置、折り順番、および、折り種類も示されており、‘Ｆ６−１’については、ページ‘２’とページ‘３’の間で、実線で表される‘谷折り’に用紙が折られ、その次にページ‘３’とページ‘６’の間で、点線で表される‘山折り’に用紙が折られる面付けパターンであることが示されてる。尚、これら標準規格の面付けパターンのうち、‘Ｆ６−１’、‘Ｆ６−２’、‘Ｆ６−４’、‘Ｆ６−５’は、表示される折り態様で折り畳まれた後、その面付けパターンに応じた裁断態様で縁が裁断される、製本用の標準規格パターンであり、‘Ｆ６−３’は、観音扉状に折り畳まれるだけで裁断は行われない、パンフレット用の標準規格パターンである。また、表示エリア１２１５に示されるローカル規格の面付けパターン‘Ｍ１’は、観音扉状に折り畳まれるだけで裁断は行われない、パンフレット用のローカル規格パターンである。
【００５９】
図８に示すように表示された面付けパターンの中からのパターン選択は、ユーザが所望する面付けパターンのパターン名をマウス１３０を使用してクリックすることで行われる。
【００６０】
図９は、検索されて表示された面付けパターンの中から面付けパターンが選択された様子を示す図である。
【００６１】
図９には、表示エリア１２１５に表示されている面付けパターンのうちローカル規格パターンＭ１がユーザにより選択された様子が示されている。
【００６２】
図９に示すように、ユーザにより面付けパターンが選択されると、面付けパターン選択部２０５を通じて、その選択された面付けパターンが面付けパターン指定受付部１０４に認識される。その後、この選択された面付けパターンを適用する、ユーザがカラースキャナ４００を用いて読み取った印刷像を表すページデータが印刷像出力部２０１を通じて印刷像取得部１０１によって取得されると、印刷像取得部１０１で取得された、印刷像を表すページデータと、面付けパターン指定受付部１０４に認識されている面付けパターンに従った、これら印刷像の配置を表した配置データと、折り態様データと、裁断態様データとからなる印刷データが印刷データ作成部１０５で作成される。この印刷データは、印刷データ作成部１０５から印刷製本機５００に送られ、印刷製本機５００では、配置データの内容で印刷用紙上に配置したページデータの印刷が行われ、その印刷用紙は、折り態様データに基づいて折り畳まれ、裁断態様データに基づいて裁断がされる。
【００６３】
以上説明したように、本実施形態の印刷管理システム１０では、従来の印刷管理システムでは、外部の面付けシステムで行なわれていた、標準規格外の面付けパターンの作成をシステム上で行うことができると共に、既存の面付けパターンの中から、ユーザが入力した検索条件に忠実に面付けパターンの絞り込みが行われる。したがって、本実施形態の印刷管理システム１０によれば、印刷用紙に対する面付けを簡易に行うことができる。
【００６４】
また、本実施形態の印刷管理システム１０では、面付けパターン記憶部１０６に既に登録済の面付けパターンのページの順序、ページ相互の相対サイズ、ページの向き、折り態様、および裁断態様の全部の改変が可能となっていることから、新たな面付けパターンの作成が容易である。したがって、本実施形態の印刷管理システム１０によれば、印刷用紙に対する面付けをより簡易に行うことができる。
【００６５】
さらに、本実施形態の印刷管理システム１０によれば、面付けパターンが、印刷用紙におけるページの配置のみならず、印刷用紙の折り態様および裁断態様も定められていることから、印刷用紙への面付けパターンに従った印刷像の印刷のみならず、印刷像が印刷された印刷用紙の折り態様および裁断態様をもデータとして扱うことができる。したがって、本実施形態の印刷管理システム１０によれば、製本段階までの自動化が可能となっている。
【００６６】
尚、以上に説明した印刷管理システム１０では、印刷像を表すページデータと印刷像の配置を表した配置データとが印刷製本機５００に送られ、印刷製本機５００で、印刷用紙の全面に対応した印刷像を表すデータの作成がなされる例を挙げて説明したが、印刷製本機５００が、印刷用紙の全面に対応した印刷像を表すデータを受け取るものであっても良い。
【００６７】
また、以上に説明した印刷管理システム１０では、面付けパターンとして折り態様および裁断態様をも定めた例を挙げて説明したが、面付けパターンとしてページを並べる配置を定めるものであれば、面付けパターンが折り態様および裁断態様を定めていなくても良い。また、以上に説明した印刷管理システム１０では、表示エリア１２１５に、印刷用紙上におけるページの配置を図示する例を挙げて説明したが、表示エリア１２１５にパターン名のみを表示するものであっても良い。
【図面の簡単な説明】
【００６８】
【図１】印刷管理システムを示す図である。
【図２】図１に示すコンピュータのハードウェア構成図である。
【図３】サーバ用プログラムが記憶されたＣＤ−ＲＯＭを示す概念図である。
【図４】クライアント用プログラムが記憶されたＣＤ−ＲＯＭをそれぞれ示す概念図である。
【図５】図１に示す印刷管理システムの機能ブロック図である。
【図６】この印刷管理システムにおける動作の流れを示す図である。
【図７】面付けパターンを選択する際の様子を示す図である。
【図８】ユーザが入力した検索条件に該当する面付けパターンが表示されている様子を示す図である。
【図９】検索されて表示された面付けパターンの中から面付けパターンが選択された様子を示す図である。
【符号の説明】
【００６９】
１０  印刷管理システム
１００  サーバ装置
１０１、４１１  印刷像取得部
１０２、４１２  面付けパターンデータ作成部
１０３、４１３  面付けパターン検索部
１０４、４１４  面付けパターン指定受付部
１０５、４１５  印刷データ作成部
１０６  面付けパターン記憶部
１１０  本体装置
１１１  ＦＤ装填口
１１２  ＣＤ装填口
１１３  ＣＰＵ
１１４  主メモリ
１１５  ハードディスク装置
１１６  ＦＤドライブ
１１７  ＣＤドライブ
１１８  入力インタフェース
１１９  出力インタフェース
１２０  印刷像表示装置
１２１  表示画面
１２１０  面付けパターン選択用画像
１２１１  ページ数エリア
１２１２  枚数エリア
１２１３  方向エリア
１２１５  表示エリア
１３０  キーボード
１４０  マウス
２００  クライアント装置
２０１、４２１  印刷像出力部
２０２、４２２  面付けパターン指定部
２０３、４２３  面付けパターン条件入力部
２０４、４２４  面付けパターン表示部
２０５、４２５  面付けパターン選択部
３１０、３２０  ＣＤ−ＲＯＭ
４００  カラースキャナ
４１０  サーバ用プログラム
４２０  クライアント用プログラム
５００  印刷製本機
【図１】
0004908436.tif 000002
【図２】
0004908436.tif 000003
【図３】
0004908436.tif 000004
【図４】
0004908436.tif 000005
【図５】
0004908436.tif 000006
【図６】
0004908436.tif 000007
【図７】
0004908436.tif 000008
【図８】
0004908436.tif 000009
【図９】
0004908436.tif 000010